(57)【特許請求の範囲】
【請求項１】
シリンダ錠を内部に固定した筒部及び筒部の外端に形成された把手部より成るハンドルと、ハンドルを突出入可能に収容する錠ケースと、ハンドルを突出位置に向け付勢させるために錠ケース内に設けた押しばねと、錠ケース内に設けられ錠機構に連係させるインナーブロックと、ハンドルの筒部における内端部に摺動可能に装着され、施錠時及び解錠時錠ケース及びインナーブロックにそれぞれ選択的に係合するラッチと、ラッチを施錠方向に付勢させるラッチばねと、一端にシリンダ錠の内筒に固設された横断面非円形の取付け軸に嵌め込む差込み孔を有し、他端に前記ラッチの係合部に係合する作動ピンを有するテールピースと、テールピースがハンドルの筒部内から脱落することを阻止する抜け止めピンとを備えたハンドル錠において、シリンダ錠の取付け軸とテールピースの差込み孔との間に、両者間に摩擦結合力を生ぜしめるばね片を設けると共に、テールピースが軸線方向に沿って外方にある距離変位し作動ピンとラッチとの係合を解くことができるように、ハンドルの筒部に固定した抜け止めピンの先端が嵌め込まれるテールピースの環状溝の幅を抜け止めピンの径よりも十分に大きくしたことを特徴とするハンドル錠。
【請求項２】
シリンダ錠を内部に固定した筒部及び筒部の外端に形成された把手部より成るハンドルと、ハンドルを突出入可能に収容する錠ケースと、ハンドルを突出位置に向け付勢させるために錠ケース内に設けた押しばねと、錠ケース内に設けられ錠機構に連係させるインナーブロックと、ハンドルの筒部における内端部に摺動可能に装着され、施錠時及び解錠時錠ケース及びインナーブロックにそれぞれ選択的に係合するラッチと、ラッチを施錠方向に付勢させるラッチばねと、一端にシリンダ錠の内筒に固設された横断面非円形の取付け軸に嵌め込む差込み孔を有し、他端に前記ラッチの係合部に係合する作動ピンを有するテールピースと、テールピースがハンドルの筒部内から脱落することを阻止する抜け止めピンとを備えたハンドル錠において、シリンダ錠の取付け軸を磁性材料で構成すると共に、永久磁石をテールピースの差込み孔内に装着し、一方、テールピースが軸線方向に沿って外方にある距離変位し作動ピンとラッチとの係合を解くことができるように、ハンドルの筒部に固定した抜け止めピンの先端が嵌め込まれるテールピースの環状溝の幅を、抜け止めピンの径よりも十分に大きくしたことを特徴とするハンドル錠。
【請求項３】
シリンダ錠を内部に固定した筒部及び筒部の外端に形成された把手部より成るハンドルと、ハンドルを突出入可能に収容する錠ケースと、ハンドルを突出位置に向け付勢させるために錠ケース内に設けた押しばねと、錠ケース内に設けられ錠機構に連係させるインナーブロックと、ハンドルの筒部における内端部に摺動可能に装着され、施錠時及び解錠時錠ケース及びインナーブロックにそれぞれ選択的に係合するラッチと、ラッチを施錠方向に付勢させるラッチばねと、一端にシリンダ錠の内筒に固設された横断面非円形の取付け軸に嵌め込む差込み孔を有し、他端に前記ラッチの係合部に係合する作動ピンを有するテールピースと、テールピースがハンドルの筒部内から脱落することを阻止する抜け止めピンとを備えたハンドル錠において、前記作動ピンはテールピースに対し別体として該テールピースにその軸線方向に摺動可能に装着すると共に、テールピース内に設けた外しばねで該テールピースの一端側に向け付勢させ、作動ピンの基端には平常時テールピースの差込み孔内で外しばねに抗してシリンダ錠の取付け軸の先端を当接させると共に、作動ピンの先端は平常時テールピースの他端から突出させてラッチの係合部に係合させたことを特徴とするハンドル錠。
【発明の詳細な説明】
【０００１】
【発明の属する技術分野】
この発明は、自動販売機の扉等に取り付けて用いられるハンドル錠に関する。
【０００２】
【従来の技術】
従来のハンドル錠としては、実開平６−１６６５８号公報に示されたものを挙げることができる。
【０００３】
そのハンドル錠は、シリンダを内部に固定した筒部及び筒部の外端に形成された把手部より成るハンドルと、ハンドルを突出入可能に収容する錠ケースと、ハンドルを突出位置に向け付勢させるために錠ケース内に設けた押しばねと、錠ケース内に設けられ錠機構に連係されるインナーブロックと、ハンドルの筒部における内端部に摺動可能に装着され、施錠時及び解錠時錠ケース及びインナーブロックにそれぞれ選択的に係合するラッチと、ラッチを施錠方向に付勢させるラッチばねと、一端にシリンダ錠の内筒に固設された横断面非円形の取付け軸に嵌め込む差込み孔を有し、他端に前記ラッチの係合部に係合する作動ピンを有するテールピースと、テールピースがハンドルの筒部内から脱落することを阻止する抜け止めピンとを備えて構成されている。
【０００４】
そして、このような従来のハンドル錠においては、シリンダ錠をハンドルの筒部に装着するため、例えばコ字状の取付金具の先端に形成された螺旋状の突条を、シリンダ錠の外筒の雄ねじ部に押し付けることによって固定している。
【０００５】
ところが、近時、自動販売機の扉に取り付けられたハンドル錠において、そのシリンダ錠の端面にドリルやタップを用いてねじを植設し、該ねじを介してレンチ等で取付金具の突条等を強引に剪断させてそのシリンダ錠を抜き出すことにより、破錠させる事件が多発している。
【０００６】
従来のハンドル錠では、シリンダ錠が抜き取られてしまうと、テールピースはドライバ等の工具で簡単に回すことができ、ラッチと錠ケースの係合が解除されるので、突出させたハンドルの操作により錠機構が作動され、自動販売機の扉は不正に開放されることになる。
【０００７】
【発明が解決しようとする課題】
この発明のハンドル錠は、その一部をなすシリンダ錠が強引な手段でハンドルの筒部より抜き取られても、ドライバ等の工具によるラッチの作動を不能として、不正な解錠を防止できるようにしたものである。
【０００８】
【課題を解決するための手段】
上記の目的を達成するため、請求項１に記載の発明は、上述した従来のハンドル錠において、シリンダ錠の取付け軸とテールピースの差込み孔との間に、両者間に摩擦結合力を生ぜしめるばね片を設けると共に、テールピースが軸線方向に沿って外方にある距離変位し作動ピンとラッチとの係合を解くことができるように、ハンドルの筒部に固定した抜け止めピンの先端が嵌め込まれるテールピースの環状溝の幅を抜け止めピンの径よりも十分に大きくしたことを特徴とする。
【０００９】
また、請求項２の発明は、上述した従来のハンドル錠において、シリンダ錠の取付け軸を磁性材料で構成すると共に、永久磁石をテールピースの差込み孔内に装着し、一方、テールピースが軸線方向に沿って外方にある距離変位し作動ピンとラッチとの係合を解くことができるように、ハンドルの筒部に固定した抜け止めピンの先端が嵌め込まれるテールピースの環状溝の幅を、抜け止めピンの径よりも十分に大きくしたことを特徴とする。
【００１０】
更に、請求項３に記載の発明は、上述した従来のハンドル錠において、前記作動ピンは、テールピースに対し、別体として該テールピースの軸線方向に摺動可能に装着すると共に、テールピース内に設けた外しばねで該テールピースの軸線方向に摺動可能に装着すると共に、テールピース内に設けた外しばねで該テールピースの一端側に向け付勢させ、作動ピンの基端には平常時テールピースの差込み孔内で外しばねに抗してシリンダ錠の取付け軸の先端を当接させると共に、作動ピンの先端は平常時テールピースの他端から突出させてラッチの係合部に係合させたことを特徴とする。
【００１１】
【発明の実施の形態】
以下、図面に示す実施例に基づいてこの発明について説明する。
図１〜図４は第１実施例を、また図５〜図７は第２実施例をそれぞれ示している。
【００１２】
図１〜図３において、符号１は自動販売機の扉３０等に固定される錠ケースで、この錠ケース１内にはハンドル３が突出入可能に収容される。
【００１３】
ハンドル３は、シリンダ錠２を内部に固定する筒部３ａと、その筒部３ａの外端に一体に又は別体として形成された把手部３ｂとから成り、ハンドル３の筒部３ａには、後方から順に該筒部の直径方向に摺動可能なラッチ５、軸線の回りに回動可能な円柱状のテールピース１１及び固定のシリンダ錠２が装着される。
【００１４】
シリンダ錠２のハンドル筒部３ａに対する固定は、例えば、螺旋の一部をなす突条１４、１４を先端（図１で下端）に有するコ字状の取付金具８を、シリンダ錠２の外筒における雄ねじ部にねじ１５をもって押し付けることによって行われる。
【００１５】
上記の錠ケース１は、その正面側（外側）にハンドル３の把手部３ｂが収容される凹陥部１ａを有するフランジ部１ｄを備え、その後方側にはハンドル筒部３ａを嵌挿させる筒部１ｃを一体に備える。
【００１６】
錠ケース１の内端の最奥部分には、中心軸線の回りに回動可能なインナーブロック７が装着してある。インナーブロック７の前面とハンドル３の底部（内端部）３ｃとの間には、圧縮ばね等の押しばね６が弾装されており、ハンドル全体３を外方（前方）に向け付勢させてある。
【００１７】
インナーブロック７の作用軸７ａは錠ケース筒部１ｃの底部開口から外方（図１で右方）に向け突出させてあって、掛け金を含む錠機構（図示しない）に連係される。
【００１８】
上記の押しばね６は、ハンドル全体３を突出位置（図１で左方）に向け付勢させるものであれば、そのばねの種類や装着位置は実施例に限るものではない。
【００１９】
そして、ハンドル筒部３ａには、その筒部３ａを先端（図１で下端）で貫通させるようにしたラッチ５が直径方向において摺動可能に装着されている。
【００２０】
このラッチ５は、先端（下端）に斜面を有し、胴部に切欠きその他の係合部５ａを有する棒状体であり、ラッチばね９により施錠方向に付勢させてある。
【００２１】
前記ラッチ５は、施錠時は図１に示すようにその先端（下端）が錠ケース１の筒部１ｃに設けた係止孔１ｂに係入され、解錠時（ハンドルの操作時）はその基端（上端）がインナーブロック７に形成された摺動溝７ｂに係合する。
【００２２】
上述のシリンダ錠３とラッチ５との間に介在させる円柱状のテールピース１１は、一端（外端）に横断面非円形の差込み孔１１ａを有し、また、他端（内端）にラッチ５の係合部５ａに係合する作動ピン１１ｂを有する。
【００２３】
この作動ピン１１ｂは、テールピース１１の回動軸線に対し偏芯しており、施錠時には、図１に示すように、正面から見て時計盤面に換算して６時の角度位置にあるが、解錠時、シリンダ錠の内筒２が回動するとこの作動ピン１１ｂは回動しつつ上昇し、これと係合するラッチ５を錠ケース１の係止孔１ｂから引き抜く。
【００２４】
前記のテールピース１１の差込み孔１１ａには、シリンダ錠２の内筒に固設された横断面非円形の取付け軸２ａが嵌め込まれる。
【００２５】
テールピース１１がハンドル３の筒部３ａから脱落することを阻止するための抜け止めピン１２は該筒部３ａに固定され、その先端をテールピース１１に設けた環状溝に嵌め込んである。
【００２６】
このようなハンドル錠は、前出の公開公報に示され公知であるので、ここではその解・施錠作用については簡単に述べる。
【００２７】
図１の施錠状態において、シリンダ錠２に鍵を差し込んでその内筒と共にテールピース１１を所定のある方向に回動させ、テールピース１１の作動ピン１１ｂの角度位置を変えることにより、錠ケース１の係止孔１ｂに係合されているラッチ５を引き上げてその拘束を解く。
【００２８】
ここに、錠ケース１の筒部１ｃとハンドル３の筒部３ａとのラッチ５による係合が解かれるので、ハンドル３は押しばね６の付勢力により外方（図１で左方）に突出する（図示せず）。
【００２９】
この際、ラッチ５の基端（上端）は、インナーブロック７の摺動溝７ｂに係合し、換言すれば摺動溝７ｂ内に入り込み、その溝７ｂの長手方向に沿って摺接変位する。
【００３０】
そして、ハンドル３とインナーブロック７とはラッチ５を介して、回動方向に関し一体的に連結されることになるので、ハンドル３の把手部３ｂを手で回すことにより、インナーブロック７の作用軸７ａに連係された図示しない錠機構が作動され、自動販売機等の扉は自由に開放できることになる。
【００３１】
逆に、ハンドル錠を施錠させる場合は、鍵を抜き取り、ハンドル３を当初の位置に戻せばよく、各部材はいずれも原位置に復帰し、図１に示すような施錠状態となる。
【００３２】
次に、この発明の第１実施例に係るハンドル錠の要部について説明する。
【００３３】
シリンダ錠２の取付け軸２ａ及びテールピース１１の差し込み孔１１ａは、それら横断面形を共に例えば矩形、六角形等の非円形とし、長さ方向については抜き差し可能とする。
【００３４】
そして、シリンダ錠２の取付け軸２ａとテールピース１１の差込み孔１１ａとの間には、図２及び図３に明示するように、両者間の抜き出し抵抗を大きくするために準安定的結合手段を設ける。
【００３５】
この準安定的結合手段とは、シリンダ錠の取付け軸２ａを外方に引き出したとき、他の部材からテールピース１１に作用する抵抗がある一定値以下の場合には、両者が一体的に移動できる結合力を有する結合手段を意味する。
【００３６】
図示の第１実施例では、この準安定的結合手段として両者間に摩擦結合力を生ぜしめるばね片１６が採用されている。
【００３７】
そして、この第１実施例においてテールピース１１とシリンダ錠の取付け軸２ａとを準安定的結合手段により結合する理由は、後述するように、不正破錠の目的でシリンダ錠を錠ケース１から抜去するとき、テールピース１１の作動ピン１１ｂをラッチ５の係合部５ａから確実に外すためである。
【００３８】
図示例のばね片１６はテールピース１１の差込み孔１１ａに止めピン１７をもって取り付けてあるが、その取付け手段は任意で、例えば溶接等によって固定してもよい。ばね片１６の形状も図示のようなコ字状のものに限らない。
【００３９】
また、ばね片１６は、テールピース１１側ではなく、シリンダ錠２の取付け軸２ａに取り付けてもよい。
【００４０】
更に、この発明の第１実施例においては、テールピース１１が軸線方向に沿って外方に移動したとき作動とピン１１ｂとラッチの係合部５ａとの係合を解くことができるように、ハンドル３の筒部３ａに固定した抜け止めピン１２の先端が嵌め込まれるテールピース１１の環状溝１１ｃの幅を抜け止めピン１２の径よりも十分に大きくしてある。
【００４１】
要するに、テールピース１１の幅広の環状溝１１ｃの幅は、ハンドル筒部３ａに固定の抜け止めピン１２に対するテールピース１１の軸線方向における前方に向かう許容遊動距離がテールピース１１の作動ピン１１ｂとラッチ５の係合部５ａとの軸線方向の実質的な係合長さよりも大きくなるように、抜け止めピン１２の径に前記係合長さを加えた値より大きくしてある。
【００４２】
上述したこの発明に係る第１実施例のハンドル錠において、図１の施錠状態でドリルやレンチ等の工具類を用いて取付金具８等を破壊させることにより、図４に示すようにシリンダ錠２をハンドル３の筒部３ａから強引に抜き出したとする。
【００４３】
すると、シリンダ錠２の取付け軸２ａとテールピース１１の差込み孔１１ａとの間に存在するばね片１６により、両者間に摩擦抵抗が大きく働くので、シリンダ錠２の抜き出しに伴って、テールピース１１の幅広の環状溝１１ｃが許容する範囲で該テールピース１１が軸線方向にある距離だけ引き出される。
【００４４】
その結果、ラッチばね９の弾力により施錠方向（下方）に移動しようとするラッチ５を図１の位置に係止させていた作動ピン１１ｂが前方に移動することになり、テールピース１１の作動ピン１１ｂとラッチ５の係合部５ａとの係合が不可逆的に解かれる。
【００４５】
この状態では、ドライバ等の工具を用いてテールピース１１を回動させても、そのテールピース１１は空回りするだけで、錠ケース１の係止孔１ｂに係入されたラッチ５は作動させることができないので、このハンドル錠は解錠させることはできない。
【００４６】
ところで、図４の状態において、テールピース１１の作動ピン１１ｂとの係合から解かれたラッチ５は、ラッチばね９に押されることにより、錠ケース１の係止孔１ｂに対し施錠位置より更に深く係入する。
【００４７】
したがって、テールピース１１の作動ピン１１ｂがラッチ５の係合部５ａから一旦抜け出すと、作動ピン１１ｂと係合部５ａとはラッチ５の摺動方向に関し食違った位置を占めるところとなる。
【００４８】
ラッチ５にこのような作動を呈するようにするには、図１の施錠状態において、ラッチ５のストッパ段部５ｂと錠ケース筒部１ｃの内壁との間に適当な間隙ｄを持たせることを要する。
【００４９】
その為、テールピース１１を外方からドライバ等の工具で単に押し又は回動させながら押しても、作動ピン１１ｂと係合部５ａとは当初の係合した状態には戻らず、結局、この発明の第１実施例のハンドル錠の破錠は不能である。
【００５０】
なお、この発明は図示の第１実施例に限定されず、種々に変形して実施することが可能である。
【００５１】
例えば、前記準安定的結合手段を、磁性材料によって構成されたシリンダ錠の取付け軸２ａと、テールピースの差込み孔１１ａ内に装着され、取付け軸２ａの内端面に吸着できるように遊動可能に案内された永久磁石（図示せず）とによって構成することができる。
【００５２】
この場合、不正破錠の目的でシリンダ錠２を錠ケース１から抜去するとき、テールピース１１の作動ピン１１ｂがラッチ５から離れ、テールピース１１が抜け止めピン１２によって停止された後、シリンダ錠の取付け軸２ａの更なる外方への移動に伴い、取付け軸２ａと永久磁石との吸着による結合が解かれ、シリンダ錠２はテールピース１１を錠ケース１内に残して抜去される。
【００５３】
次に、図５〜図７において、この発明の第２実施例について説明する。
第２実施例において、図１〜図４の第１実施例と同一の符号で指し示す部材は互にほぼ等効の部材であるから、ここでは重複を避けそれら部材の詳しい説明は省略し、主として相違する構成に関して説明する。
【００５４】
第２実施例を示す図５及び図６において、作動ピン１１ｂは、テールピース１１に対し別体として該テールピース１１の軸線方向に摺動可能に装着すると共に、テールピース１１の差込み孔１１ａ内に設けた圧縮ばね等の外しばね１０で該テールピース１１の一端側（図５で左側）に向け付勢させてある。
【００５５】
第２実施例のテールピース１１は、その他端側の幅の狭い環状溝１１ｄにハンドル筒部３ａに固定の抜け止めピン１２が嵌合させてあって、ハンドル筒部３ａに対し、軸線の回りに回動は可能であるが、軸線方向への摺動は不能である。
【００５６】
そして、テールピース１１の一端部には、その差込み孔１１ａを通じて外しばね１０と共に装着された作動ピン１１ｂの抜け出しを阻止するためにストップピン１１ｅが固定されている。
【００５７】
このストップピン１１ｅは本発明にとって必須のものではないが、ハンドル錠全体の組立時やシリンダ錠２の交換の時に便ならしめる。
【００５８】
この例の作動ピン１１ｂは、図６に明示するように、母線に沿って一部を切り書いた外しばね用の逃がし部１１ｆ及び基端を一体に立ち上がらせた突片１１ｇを備える。
【００５９】
前記突片１１ｇは、平常時シリンダ錠内筒２ｂに固定の取付け軸２ａが当接する対向受け片、外しばね１０のばね受け並びにシリンダ錠２が抜き出されたときストップピン１１ｅに衝接する衝合片を兼ねる。
【００６０】
また、同図６で、符号２ｃはストップピン１１ｅを軸線方向で逃がすために取付け軸２ａに設けた逃がし溝である。
【００６１】
前記のような作動ピン１１ｂの基端における突片１１ｇには、平常時テールピース１１の差込み孔１１ａ内で外しばね１０に抗してシリンダ錠２の取付け軸２ａの先端を当接させると共に、作動ピン１１ｂの先端は、平常時テールピース１１の他端から貫通孔を通じて突出させてラッチ５の係合部５ａに係合させる。
【００６２】
この作動ピン１１ｂがテールピース１１の回動軸線に対し偏芯させて装着されるようにしてあることは勿論である。
【００６３】
上述した第２実施例のハンドル錠において、図５の施錠状態でドリルやリンチ等の工具類を用いて取付金具８等を破壊させることにより、図７に示すようにシリンダ錠２をハンドル３の筒部３ａから強引に抜き出したとする。
【００６４】
すると、外しばね１０の付勢力によって作動ピン１１ｂが突片１１ｇを介して基端側に押し出され、作動ピン１１ｂの先端がラッチ５の係合部５ａから不可逆的に外れ、同時にラッチばね９により施錠方向（下方）に付勢されているラッチ５は、そのストッパ段部５ｂと錠ケース筒部１ｃの内壁との間の間隙ｄ分だけ更に深く係入する。（図５及び図７参照）。
【００６５】
この状態では、ドライバ等の後部を用いてテールピース１１を回動させても、そのテールピース１１は空回りするだけで、錠ケース１の係止孔１ｂに係入されたラッチ５は作動させることができないので、このハンドル錠は解錠させることはできない。
【００６６】
すなわち、テールピース１１の作動ピン１１ｂはラッチ５の係合部５ａから一旦抜け出すと、作動ピン１１ｂと係合部５ａとはラッチ５の摺動方向に関し食い違った位置を占めることになり、テールピース１１を外方からドライバ等の工具で単に押し又は回動させながら押しても、作動ピン１１ｂと係合部５ａとは第１実施例と同様に当初の係合した状態には戻らず、結局、この発明の第２実施例のハンドル錠の破錠は不能である。
【００６７】
【発明の効果】
以上に説明したこの発明のハンドル錠によれば、シリンダ錠を工具類を用いて無理やり抜去しても、外方からラッチ、ハンドル並びにインナーブロック等を解錠位置に作動変位させることができないので、不正解錠を不能とし、防犯効果を大とする。
【図面の簡単な説明】
【図１】この発明のハンドル錠の実施例を示す縦断側面図。
【図２】その分解斜視図。
【図３】シリンダ錠の取付け軸とテールピースとの連結部を示す拡大部分縦断平面図。
【図４】この発明の実施例において、破錠を目的としてシリンダ錠を抜去した状態を示す縦断側面図。
【図５】この発明のハンドル錠の第２実施例を示す縦断側面図。
【図６】その要部の分解斜視図。
【図７】この発明の第２実施例において、破錠を目的としシリンダ錠を抜去した状態を示す縦断側面図。
【符号の説明】
１  錠ケース
２  シリンダ錠
２ａ  取付け軸
３  ハンドル
３ａ  筒部
３ｂ  把手部
５  ラッチ
５ａ  係合部
６  押しばね
７  インナーブロック
１１  テールピース
１１ａ  差込み孔
１１ｂ  作動ピン
１１ｃ  環状溝
１２  抜け止めピン
１６  ばね片
【図１】
0003809553.tif 000002
【図２】
0003809553.tif 000003
【図３】
0003809553.tif 000004
【図４】
0003809553.tif 000005
【図５】
0003809553.tif 000006
【図６】
0003809553.tif 000007
【図７】
0003809553.tif 000008